(57)【要約】【課題】照明装置において、二次電池の放電深度が深くなることを抑制することにある。【解決手段】切替制御部１８は、調光率設定部１３を通じて、照明のために使用する二次電池２１ａ〜２１ｎの残量が少ないほど、かつ過去の二次電池２１ａ〜２１ｎの使用量が多いほど照明負荷１１の調光率を減少させる。ここで、調光率が少ないほど、二次電池２１ａ〜２１ｎの放電量が小さくなる。よって、二次電池２１ａ〜２１ｎの放電深度が深くなることが抑制される。【選択図】図１
2014078440.tif 000002
【特許請求の範囲】
【請求項１】
現在の二次電池の残量を検出する残量検出手段と、
過去の二次電池の使用量を検出する使用履歴検出手段と、
前記残量検出手段を通じて検出した二次電池の残量が少ないほど、かつ前記使用履歴検出手段を通じて検出した過去の二次電池の使用量が多いほど調光率を減少させたうえで照明負荷を点灯する照明制御手段と、を備えた
ことを特徴とする照明装置。
【請求項２】
請求項１に記載の照明負荷において、
太陽光に基づき発電する太陽電池と、その太陽電池に対応するとともに、その太陽電池が発電した電力を充電する二次電池とを有するバッテリユニット部を複数備え、
前記二次電池の放電深度が深くならないように、前記複数のバッテリユニット部間での前記太陽電池を通じた発電電力を授受する電力授受手段を備えた
ことを特徴とする照明装置。
【請求項３】
請求項２に記載の照明負荷において、
前記電力授受手段は、一のバッテリユニット部の二次電池を充電するにあたって、他のバッテリユニット部の二次電池の充電が完了していれば、前記一のバッテリユニット部の太陽電池、及び他のバッテリユニット部の太陽電池を通じて、前記一のバッテリユニット部の二次電池を充電する
ことを特徴とする照明装置。
【請求項４】
請求項２又は３に記載の照明負荷において、
前記照明制御手段は、前記各バッテリユニット部の二次電池を順に利用して、前記照明負荷を点灯する
ことを特徴とする照明装置。
【請求項５】
請求項１〜４の何れか一項に記載の照明負荷において、
前記照明制御手段は、前記各二次電池のうち前記残量検出手段を通じて検出した残量が多い二次電池の電力を利用して前記照明負荷を点灯する
ことを特徴とする照明装置。
【請求項６】
請求項５に記載の照明負荷において、
前記照明制御手段は、前記複数の二次電池の残量が同一の場合、前記使用履歴検出手段を通じて過去の使用量が少ない二次電池の電力を利用して前記照明負荷を点灯する
ことを特徴とする照明装置。
【請求項７】
請求項６に記載の照明負荷において、
太陽電池における過去の放電回数を検出する放電回数検出手段を備え、
前記照明制御手段は、前記複数の二次電池における残量及び過去の使用量が同等の場合、前記放電回数検出手段を通じて過去の放電回数が少ない二次電池の電力を利用して前記照明負荷を点灯する
ことを特徴とする照明装置。
【請求項８】
太陽光に基づき発電する太陽電池と、その太陽電池に対応するとともに、その太陽電池が発電した電力を充電する二次電池とを有する複数のバッテリユニット部と、
前記二次電池の充電電力を利用して照明負荷を点灯する照明制御手段と、
前記二次電池の放電深度が深くならないように、前記複数のバッテリユニット部間での前記太陽電池を通じた発電電力を授受する電力授受手段と、を備えた
ことを特徴とする照明装置。
【発明の詳細な説明】
【技術分野】
【０００１】
この発明は、照明装置に関する。
【背景技術】
【０００２】
従来から、太陽電池を利用して、太陽光により発電した電力を二次電池に充電し、その二次電池の充電電力を夜間の照明に利用する照明装置が存在する。
（例えば、特許文献１参照）。
【先行技術文献】
【特許文献】
【０００３】
【特許文献１】特開平１１−２８３７５６号公報
【発明の概要】
【発明が解決しようとする課題】
【０００４】
上記照明装置においては、天候が悪い日が続くと十分な充電量を確保できない。この場合、夜間に二次電池が深い放電深度まで放電することとなり、二次電池の劣化を招くおそれがある。
【０００５】
この発明は、こうした実情に鑑みてなされたものであり、その目的は、二次電池の放電深度が深くなることを抑制した照明装置を提供することにある。
【課題を解決するための手段】
【０００６】
以下、上記目的を達成するための手段及びその作用効果について説明する。
請求項１に記載の発明は、現在の二次電池の残量を検出する残量検出手段と、過去の二次電池の使用量を検出する使用履歴検出手段と、前記残量検出手段を通じて検出した二次電池の残量が少ないほど、かつ前記使用履歴検出手段を通じて検出した過去の二次電池の使用量が多いほど調光率を減少させたうえで照明負荷を点灯する照明制御手段と、を備えたことをその要旨としている。
【０００７】
この構成によれば、照明制御手段は、二次電池の残量が少ないほど、かつ過去の二次電池の使用量が多いほど照明負荷の調光率を減少させる。ここで、調光率が少ないほど、二次電池の放電量が小さくなる。よって、二次電池の寿命が短くなるほどに二次電池の放電深度が深くなることが抑制される。
【０００８】
請求項２に記載の発明は、請求項１に記載の照明負荷において、太陽光に基づき発電する太陽電池と、その太陽電池に対応するとともに、その太陽電池が発電した電力を充電する二次電池とを有するバッテリユニット部を複数備え、前記二次電池の放電深度が深くならないように、前記複数のバッテリユニット部間での前記太陽電池を通じた発電電力を授受する電力授受手段を備えたことをその要旨としている。
【０００９】
この構成によれば、各二次電池の放電深度が深くならないように、複数のバッテリユニット部間での太陽電池を通じた発電電力の授受が行われる。よって、例えば、日中の日射量が足りない状況にあっても、二次電池の放電深度が深くなることが抑制される。このため、二次電池の長寿命化を図ることができる。
【００１０】
請求項３に記載の発明は、請求項２に記載の照明負荷において、前記電力授受手段は、一のバッテリユニット部の二次電池を充電するにあたって、他のバッテリユニット部の二次電池の充電が完了していれば、前記一のバッテリユニット部の太陽電池、及び他のバッテリユニット部の太陽電池を通じて、前記一のバッテリユニット部の二次電池を充電することをその要旨としている。
【００１１】
この構成によれば、一のバッテリユニット部の二次電池を充電するにあたって、他のバッテリユニット部の二次電池の充電が完了していれば、２つの太陽電池を通じて充電が実行される。よって、二次電池の放電深度が深くなることが抑制される。
【００１２】
請求項４に記載の発明は、請求項２又は３に記載の照明負荷において、前記照明制御手段は、前記各バッテリユニット部の二次電池を順に利用して、前記照明負荷を点灯することをその要旨としている。
【００１３】
この構成によれば、二次電池の放電深度が深くなることがいっそう抑制される。よって、各二次電池の長寿命化を図ることができる。
請求項５に記載の発明は、請求項１〜４の何れか一項に記載の照明負荷において、前記照明制御手段は、前記各二次電池のうち前記残量検出手段を通じて検出した残量が多い二次電池の電力を利用して前記照明負荷を点灯することをその要旨としている。
【００１４】
この構成によれば、照明制御手段は残量が多い二次電池の電力を利用して照明負荷を点灯する。よって、二次電池の寿命が短くなるほどに二次電池の放電深度が深くなることが抑制される。
【００１５】
請求項６に記載の発明は、請求項５に記載の照明負荷において、前記照明制御手段は、前記複数の二次電池の残量が同一の場合、前記使用履歴検出手段を通じて過去の使用量が少ない二次電池の電力を利用して前記照明負荷を点灯することをその要旨としている。
【００１６】
この構成によれば、過去の使用量が少ない二次電池の電力が照明に利用される。これにより、劣化に伴い二次電池の放電深度が深くなることが抑制される。
請求項７に記載の発明は、請求項６に記載の照明負荷において、太陽電池における過去の放電回数を検出する放電回数検出手段を備え、前記照明制御手段は、前記複数の二次電池における残量及び過去の使用量が同等の場合、前記放電回数検出手段を通じて過去の放電回数が少ない二次電池の電力を利用して前記照明負荷を点灯することをその要旨としている。
【００１７】
この構成によれば、過去の放電回数が少ない二次電池が照明に利用される。これにより、劣化に伴い二次電池の放電深度が深くなることが抑制される。
請求項８に記載の発明は、太陽光に基づき発電する太陽電池と、その太陽電池に対応するとともに、その太陽電池が発電した電力を充電し、その充電電力が照明に利用される二次電池とを有する複数のバッテリユニット部と、前記二次電池の充電電力を利用して照明負荷を点灯する照明制御手段と、前記二次電池の放電深度が深くならないように、前記複数のバッテリユニット部間での前記太陽電池を通じた発電電力を授受する電力授受手段とを備えたことをその要旨としている。
【００１８】
この構成によれば、各二次電池の放電深度が深くならないように、複数のバッテリユニット部間での太陽電池を通じた発電電力の授受が行われる。よって、例えば、日中の日射量が足りない状況にあっても、二次電池の放電深度が深くなることが抑制される。このため、二次電池の長寿命化を図ることができる。
【発明の効果】
【００１９】
本発明によれば、照明装置において、二次電池の放電深度が深くなることを抑制することができる。
【図面の簡単な説明】
【００２０】
【図１】第１の実施形態における照明装置の構成を示すブロック図。
【図２】第１の実施形態における充電制御部の処理手順を示すフローチャート。
【図３】第１の実施形態におけるバッテリ電圧確認部の処理手順を示すフローチャート。
【図４】第１の実施形態におけるＤＲ値、ＢＲ値に応じた調光率を示した表。
【図５】第２の実施形態における照明装置の構成を示すブロック図。
【図６】第２の実施形態における各二次電池の状態遷移を示す説明図。
【発明を実施するための形態】
【００２１】
（第１の実施形態）
以下、照明装置の第１の実施形態について図１〜図６を参照して説明する。
図１に示すように、照明装置１は、照明負荷１１を調光点灯するライトコントロールユニット部１０を備える。
【００２２】
ライトコントロールユニット部１０は、上記照明負荷１１に加えて、第１のバッテリユニット部２０ａと、バッテリ電圧確認部１６ａ〜１６ｎと、切替制御部１８と、調光率設定部１３と、人体検知センサ１２と、スイッチ部１５と、を備える。
【００２３】
照明装置１は、ライトコントロールユニット部１０とは別体にて、第２〜第ｎのバッテリユニット部２０ｂ〜２０ｎを備える。この第２〜第ｎのバッテリユニット部２０ｂ〜２０ｎは、ライトコントロールユニット部１０に増設することができる。増設するバッテリユニット部の数は、必要となる発電量に応じて適宜設定される。
【００２４】
＜バッテリユニット部＞
各バッテリユニット部２０ａ〜２０ｎは同一の構成でなる。すなわち、各バッテリユニット部２０ａ〜２０ｎは、太陽電池２２ａ〜２２ｎと、充電制御部２６ａ〜２６ｎと、二次電池２１ａ〜２１ｎとを備える。
【００２５】
太陽電池２２ａ〜２２ｎは、光エネルギ（日光）を電力に変換し、その電力を充電制御部２６ａ〜２６ｎに出力する。充電制御部２６ａ〜２６ｎは、太陽電池２２ａ〜２２ｎからの電力を受け、その電力を二次電池２１ａ〜２２ｎに充電する制御と、その電力をスイッチ部１５に供給する制御とを行う。
【００２６】
図２のフローチャートを参照しつつ、充電制御部２６ａ〜２６ｎの制御について説明する。
充電制御部２６ａ〜２６ｎは、太陽電池２２ａ〜２２ｎの発電量を確認し（Ｓ１０１）、その発電量が一定値Ｔｈ１以上であるか否かを判断する（Ｓ１０２）。充電制御部２６ａ〜２６ｎは、発電量（電力量）が一定値Ｔｈ１未満である旨判断すると（Ｓ１０２でＮＯ）、二次電池２１ａ〜２１ｎの充電電力をスイッチ部１５へ供給する（Ｓ１０３）。そして、充電制御部２６ａ〜２６ｎはステップＳ１０１の処理に戻る。
【００２７】
一方、充電制御部２６ａ〜２６ｎは、発電量が一定値Ｔｈ１以上である旨判断すると（Ｓ１０２でＹＥＳ）、二次電池２１ａ〜２１ｎのバッテリ電圧に基づき充電量（電力量）を認識する（Ｓ１０４）。そして、充電制御部２６ａ〜２６ｎは、二次電池２１ａ〜２１ｎの充電量が一定値Ｔｈ２以上であるか否かを判断する（Ｓ１０５）。この一定値Ｔｈ２は二次電池２１ａ〜２１ｎが満充電状態にあるときの充電量に基づき設定される。
【００２８】
充電制御部２６ａ〜２６ｎは、二次電池２１ａ〜２１ｎの充電量が一定値Ｔｈ２以上である旨判断すると、二次電池２１ａ〜２１ｎが満充電状態にあるとして、二次電池２１ａ〜２１ｎの充電を停止し（Ｓ１０６）、太陽電池２２ａ〜２２ｎからの発電電力をスイッチ部１５へ供給する（Ｓ１０７）。そして、充電制御部２６ａ〜２６ｎはステップＳ１０１の処理に戻る。
【００２９】
一方、充電制御部２６ａ〜２６ｎは、二次電池２１ａ〜２１ｎの充電量が一定値Ｔｈ２未満である旨判断すると、二次電池２１ａ〜２１ｎが満充電状態にないとして、二次電池２１ａ〜２１ｎの充電電力のスイッチ部１５への供給を停止し（Ｓ１０８）、二次電池２１ａ〜２１ｎへの充電を開始する（Ｓ１０９）。そして、充電制御部２６ａ〜２６ｎはステップＳ１０１の処理に戻る。
【００３０】
すなわち、太陽電池２２ａ〜２２ｎが発電状態（つまり昼間）にあっては、充電制御部２６ａ〜２６ｎは、二次電池２１ａ〜２１ｎが充電可能な場合はスイッチ部１５への給電を停止して充電制御を行い、二次電池２１ａ〜２１ｎが満充電状態の場合は太陽電池２２ａ〜２２ｎの発電量をそのままスイッチ部１５へ給電する。また、太陽電池２２ａ〜２２ｎが未発電状態のとき（つまり夜間）には、充電制御部２６ａ〜２６ｎは二次電池２１ａ〜２１ｎの電力をスイッチ部１５へ給電する。以上の動作を、各バッテリユニット部２０ａ〜２０ｎは独立して行う。
【００３１】
図１に示すように、ライトコントロールユニット部１０におけるスイッチ部１５は、入力側スイッチ部１５ｉと出力側スイッチ部１５ｏとを備える。
入力側スイッチ部１５ｉは、自身の可動接点１５ａを何れかの充電制御部２６ａ〜２６ｎと導通した状態に切り替わる。出力側スイッチ部１５ｏは、自身の可動接点１５ｂをオフ端子Ｏｆｆ、調光率設定部１３及び充電制御部２６ａの何れかと導通した状態に切り替わる。両可動接点１５ａ，１５ｂは導通した状態にある。両スイッチ部１５ｉ，１５ｏは、切替制御部１８によって切替制御される。
【００３２】
人体検知センサ１２は人が接近したことを検知し、その検知結果を調光率設定部１３に出力する。
調光率設定部１３は、スイッチ部１５側からの電力に基づき動作する。また、調光率設定部１３は、通常、照明負荷１１を消灯し、人体検知センサ１２が人体を検知したとき、切替制御部１８を通じて通知された調光率で一定時間に亘って照明負荷１１を点灯させる。
【００３３】
＜バッテリ電圧確認部＞
図１に示すように、バッテリ電圧確認部１６ａ〜１６ｎは、各充電制御部２６ａ〜２６ｎからの電力に基づき、ＢＲ値、ＤＲ値及びＣＲ値を算出し、それらの値をメモリ１７に記憶する。
【００３４】
ＢＲ値は現在のバッテリ残量割合（％）を１〜５の５段階で表したものである。
ＤＲ値は前日のバッテリ使用量を０〜４の５段階で表したものであって、前日のバッテリ使用量（電力量）が大きくなるほどＤＲ値は大きく設定される。
【００３５】
ＣＲ値は、二次電池における過去の放電回数を表したものである。この放電回数は、充放電サイクル数に応じた値となる。
バッテリ電圧確認部１６ａ〜１６ｎは、バッテリユニット部２０ａ〜２０ｎからの給電電圧（バッテリ電圧）に基づきバッテリ残量割合を算出し、さらにこのバッテリ残量割合からＢＲ値を決定する。詳しくは、図４の表に基づき、例えば、バッテリ残量割合が７５％のときにはＢＲ値が４に決定される。
【００３６】
バッテリ電圧確認部１６ａ〜１６ｎは、過去のバッテリユニット部２０ａ〜２０ｎからの給電電力を監視することで、メモリ１７に記憶されるＤＲ値及びＣＲ値を更新していく。ＣＲ値は二次電池交換時にリセットされる。
【００３７】
図３のフローチャートを参照しつつ、各バッテリ電圧確認部１６ａ〜１６ｎの制御について詳細に説明する。
バッテリ電圧確認部１６ａ〜１６ｎは、自身に対応するバッテリユニット部２０ａ〜２０ｎからの給電電圧（バッテリ電圧）を一定時間毎に監視し、そのときのバッテリ電圧からバッテリ残量割合を算出し、さらに、そのバッテリ残量割合からＢＲ値を決定する（Ｓ２０１）。
【００３８】
そして、バッテリ電圧確認部１６ａ〜１６ｎは、決定したＢＲ値と、現在のＤＲ値、ＣＲ値を切替制御部１８に通知する（Ｓ２０２）。
つぎに、バッテリ電圧確認部１６ａ〜１６ｎは、切替制御部１８から昼夜切替判断情報を取得し、昼モード及び夜モード間でのモード切り替えの有無を判断する（Ｓ２０３）。バッテリ電圧確認部１６ａ〜１６ｎは、昼モード及び夜モード間でのモードの切り替えがない旨判断すると（Ｓ２０３でＮＯ）、ステップＳ２０１の処理に戻る。
【００３９】
バッテリ電圧確認部１６ａ〜１６ｎは、昼モード及び夜モード間でのモードの切り替えがあった旨判断すると（Ｓ２０３でＹＥＳ）、昼モードから夜モードに切り替わったか否かを判断する（Ｓ２０４）。バッテリ電圧確認部１６ａ〜１６ｎは、昼モードから夜モードに切り替わった旨判断すると、このときのＢＲ値を放電開始時のＢＲ値ｂＢＲとしてメモリ１７に保存する（Ｓ２０５）。そして、バッテリ電圧確認部１６ａ〜１６ｎは、メモリ１７に記憶される放電回数を表すＣＲ値に「１」加算し（Ｓ２０６）、ステップＳ２０１の処理に戻る。
【００４０】
また、バッテリ電圧確認部１６ａ〜１６ｎは、夜モードから昼モードに切り替わった旨判断すると（Ｓ２０４でＮＯ）、このときのＢＲ値を放電停止時のＢＲ値ｅＢＲとしてメモリ１７に保存する（Ｓ２０７）。
【００４１】
そして、バッテリ電圧確認部１６ａ〜１６ｎは、上記保存された放電開始時のＢＲ値ｂＢＲから放電停止時のＢＲ値ｅＢＲを差し引いた値（ｂＢＲ−ｅＢＲ）に応じて前日のバッテリ使用量、ひいてはＤＲ値を決定し、そのＤＲ値をメモリ１７に記憶する（Ｓ２０８）。その後、バッテリ電圧確認部１６ａ〜１６ｎはＳ２０１の処理に戻る。
【００４２】
＜切替制御部＞
切替制御部１８は、昼モードと夜モードの２つの動作モードがあり、２つのモード間で切り替わる際には、その旨を昼夜切替判断情報としてバッテリ電圧確認部１６ａ〜１６ｎに通知する。
【００４３】
切替制御部１８は、第１のバッテリユニット部２０ａの太陽電池２２ａ〜２２ｎが発電状態の場合には昼と判断し、そのときには昼モードとなる。また、切替制御部１８は、第１のバッテリユニット部２０ａの太陽電池２２ａ〜２２ｎが発電状態でない場合には夜と判断し、そのときには夜モードとなる。
【００４４】
＜昼モード＞
切替制御部１８は、昼モードにおいて、各バッテリユニット部２０ｂ〜２０ｎのＢＲ値を確認する。切替制御部１８は、ＢＲ値が最大である５になっているバッテリユニット部２０ｂ〜２０ｎがある場合には、入力側スイッチ部１５ｉを、ＢＲ値が５となっているバッテリユニット部２０ａ〜２０ｎの充電制御部２６ｂ〜２６ｎに接続し、出力側スイッチ部１５ｏを第１のバッテリユニット部２０ａの充電制御部２６ａに接続する。これにより、第１のバッテリユニット部２０ａは、自身の太陽電池２２ａに加えて、他の太陽電池２２ｂ〜２２ｎを利用して自身の二次電池２１ａを充電することができる。すなわち、バッテリユニット部２０ａは、他のバッテリユニット部２０ｂ〜２０ｎから発電電力を受けることになる。よって、二次電池２１ａの充電速度を向上させることができる。
【００４５】
ＢＲ値が５になっているバッテリユニット部２０ａ〜２０ｎがない場合には、出力側スイッチ部１５ｏをオフ端子Ｏｆｆに接続する。これにより、各バッテリユニット部２０ａ〜２０ｎの充電が行われる。
【００４６】
＜夜モード＞
切替制御部１８は、昼モードから夜モードに切り替わったとき、出力側スイッチ部１５ｏを調光率設定部１３に切り替えるとともに、入力側スイッチ部１５ｉを以下の優先順位１〜４に基づき選択したバッテリユニット部２０ａ〜２０ｎに切り替える。
【００４７】
１．ＢＲ値が大きい
２．ＤＲ値が小さい
３．ＣＲ値が小さい
４．前回使用したバッテリユニット部２０ａ〜２０ｎの次の番号のもの
まず、切替制御部１８は、各バッテリ電圧確認部１６ａ〜１６ｎを通じて、各バッテリユニット部２０ａ〜２０ｎのＢＲ値を比較し、ＢＲ値が最大となるバッテリユニット部２０ａ〜２０ｎを選択する。
【００４８】
切替制御部１８は、最大となるＢＲ値が同一の場合には、各バッテリ電圧確認部１６ａ〜１６ｎを通じて、ＤＲ値を比較し、ＤＲ値が最小となるバッテリユニット部２０ａ〜２０ｎを選択する。
【００４９】
切替制御部１８は、最小となるＤＲ値も同一の場合には、各バッテリ電圧確認部１６ａ〜１６ｎを通じて、ＣＲ値を比較し、ＣＲ値が最小となるバッテリユニット部を選択する。
【００５０】
切替制御部１８は、最小となるＣＲ値も同一の場合には、前回使用したバッテリユニット部２０ａ〜２０ｎの次の番号のものを選択する。例えば、第１及び第２のバッテリユニット部２０ａ，２０ｂにおけるＢＲ値、ＤＲ値、ＣＲ値が同一であって、前回第１のバッテリユニット部２０ａが使用されていた場合、切替制御部１８は次の番号の第２のバッテリユニット部２０ｂを選択する。
【００５１】
上記優先順位１〜４を通じて、選択されたバッテリユニット部２０ａ〜２０ｎの二次電池２１ａ〜２１ｎの電力が夜間の照明に利用される。優先順位１〜４は、二次電池の放電深度が深くなるのを抑制すること、二次電池の使用回数の均等化を図ることを目的として設定されている。
【００５２】
切替制御部１８は、選択したバッテリユニット部２０ａ〜２０ｎのＢＲ値とＤＲ値から、図４の表に基づき調光率を決定し、その調光率を調光率設定部１３に通知する。調光率設定部１３は、通知された調光率に応じて照明負荷１１を駆動させる。調光率が大きくなるほど二次電池２１ａ〜２１ｎの消費電力が増大する。
【００５３】
図４の表に示すように、切替制御部１８は、前日のバッテリ使用量に応じたＤＲ値が大きいほど調光率を減少させる。この制御は、前日のバッテリ使用量が次の日も継続した場合に、二次電池２１ａ〜２１ｎの放電深度が深くなることを抑制するために実行される。
【００５４】
また、切替制御部１８は、バッテリ残量割合に応じたＢＲ値が小さいほど調光率を減少させる。この制御は二次電池２１ａ〜２１ｎの放電深度が深くなることを抑制するために実行される。
【００５５】
例えば、切替制御部１８は、ＤＲ値が２であってＢＲ値が３のとき、調光率設定部１３の調光率を３０％に決定する。また、切替制御部１８は、ＤＲ値が１であってＢＲ値が１のとき、調光率設定部１３の調光率を０％（ＳＴＯＰ）に決定する。この場合には、調光率設定部１３は照明負荷１１を点灯させない。
【００５６】
なお、切替制御部１８、スイッチ部１５及び調光率設定部１３は照明制御手段の一例である。
また、切替制御部１８、スイッチ部１５は使用履歴検出手段及び電力授受手段の一例である。また、バッテリ電圧確認部１６ａ〜１６ｎは残量検出手段、使用履歴検出手段及び放電回数検出手段の一例である。
【００５７】
以上、説明した実施形態によれば、以下の効果を奏することができる。
（１）切替制御部１８は、調光率設定部１３を通じて、照明のために使用する二次電池２１ａ〜２１ｎの残量が少ないほど、かつ前日の二次電池２１ａ〜２１ｎの使用量が多いほど照明負荷１１の調光率を減少させる。ここで、調光率が少ないほど、二次電池２１ａ〜２１ｎの放電量が小さくなる。よって、二次電池２１ａ〜２１ｎの放電深度が深くなることが抑制される。
【００５８】
これにより、二次電池２１ａ〜２１ｎを長寿命化することができる。このため、照明装置１の製品寿命までの電池交換回数を減らすことができる。これは、特に、照明装置１が高所に取り付けられることが多いため有益である。
【００５９】
（２）第１のバッテリユニット部２０ａの二次電池２１ａを充電するにあたって、他のバッテリユニット部２０ｂ〜２０ｎの二次電池２１ｂ〜２１ｎの充電が完了していれば、太陽電池２２ａと、充電が完了したバッテリユニット部２０ｂ〜２０ｎの太陽電池２２ｂ〜２２ｎとを通じて充電が実行される。よって、日中の日射量が足りない状況にあっても、二次電池２１ａの放電深度が深くなることが抑制される。
【００６０】
（３）切替制御部１８は残量が多い二次電池２１ａ〜２１ｎの電力を利用して照明負荷１１を点灯する。よって、二次電池２１ａ〜２１ｎの寿命が短くなるほどに二次電池２１ａ〜２１ｎの放電深度が深くなることが抑制される。
【００６１】
（４）切替制御部１８は、二次電池２１ａ〜２１ｎの残量が同等の場合、前日の使用量が少ない二次電池２１ａ〜２１ｎを利用して照明負荷１１を点灯する。これにより、劣化に伴い二次電池の放電深度が深くなることが抑制される。
【００６２】
（５）切替制御部１８は、二次電池２１ａ〜２１ｎの残量、前日の使用量が同等の場合、過去の放電回数が少ない二次電池２１ａ〜２１ｎを利用して照明負荷１１を点灯する。これにより、劣化に伴い二次電池の放電深度が深くなることが抑制される。
【００６３】
（６）上記（１）〜（５）の効果により、二次電池２１ａ〜２１ｎの放電深度が深くなることが抑制される。よって、日射量が少ない地域であっても、太陽電池の定格出力や二次電池の容量を大きくする必要がなくなる。
【００６４】
（第２の実施形態）
以下、照明装置の第２の実施形態について図５及び図６を参照しつつ説明する。以下、第１の実施形態との相違点を中心に説明する。
【００６５】
図５に示すように、本例では、２つのバッテリユニット部２０ｂ，２０ｃが増設されている。各充電制御部２６ａ〜２６ｃにはバッテリ電圧確認部３１ａ〜３１ｃが設けられている。
【００６６】
ライトコントロールユニット部１０の切替制御部１８と、各バッテリユニット部２０ａ〜２０ｃの充電制御部２６ａ〜２６ｃ（バッテリ電圧確認部３１ａ〜３１ｃ）との間でデータの受け渡しが可能に構成されている。このデータの受け渡しの形態としては、シリアルバスなどによる通信や、ポートによる信号の受け渡しなどが考えられる。
【００６７】
本実施形態では、各バッテリ電圧確認部３１ａ〜３１ｃは、前述したＢＲ値、ＤＲ値、ＣＲ値を決定する。この決定方法は、第１の実施形態と同様である。各充電制御部２６ａ〜２６ｃは、切替制御部１８からの要求に応じて、上記決定したＢＲ値、ＤＲ値、ＣＲ値を通知する。
【００６８】
また、切替制御部１８は、各充電制御部２６ａ〜２６ｃから取得したＢＲ値、ＤＲ値、ＣＲ値の評価を行う。そして、その評価に基づき使用する（放電する）二次電池２１ａ〜２１ｃ（バッテリユニット部）を決定するとともに、充電を行うバッテリユニット部２０ａ〜２０ｃと、停止させるバッテリユニット部２０ａ〜２０ｃを決定し、その旨の指令信号をそれぞれ充電制御部２６ａ〜２６ｃに通知する。各充電制御部２６ａ〜２６ｃは、切替制御部１８からの通知に応じて、太陽電池２２ａ〜２２ｃを放電、停止、充電の何れかの状態とする。
【００６９】
以下、図６を参照しつつ、時刻ｔ１〜ｔ４における各二次電池２１ａ〜２１ｃの状態について説明する。この時刻ｔ１〜ｔ４において、切替制御部１８は夜モードにあるとする。本例では、上記優先順位の１、すなわちＢＲ値のみを利用する。
【００７０】
例えば、時刻ｔ１において、切替制御部１８は、各充電制御部２６ａ〜２６ｃを通じて、二次電池２１ａを放電状態、二次電池２１ｂを充電状態、二次電池２１ｃを停止状態としているとする。このとき、照明負荷１１は二次電池２１ａの電力で駆動される。
【００７１】
そして、時刻ｔ２において、二次電池２１ａの電力消費に伴いＢＲ値が５から４になったとする。このとき、切替制御部１８は、各充電制御部２６ａ〜２６ｃを通じて、二次電池２１ａを充電状態、二次電池２１ｂを停止状態、二次電池２１ｃを放電状態に切り替える。これにより、照明負荷１１が二次電池２１ｃの電力で駆動された状態となる。
【００７２】
つぎに、時刻ｔ３においては、二次電池２１ｃの電力消費に伴いＢＲ値が５から４になったとする。このとき、切替制御部１８は、各充電制御部２６ａ〜２６ｃを通じて、二次電池２１ａを停止状態、二次電池２１ｂを放電状態、二次電池２１ｃを充電状態に切り替える。これにより、照明負荷１１は二次電池２１ｂの電力で駆動された状態となる。
【００７３】
さらに、時刻ｔ４においては、二次電池２１ｂの電力消費に伴いＢＲ値が５から４になったとする。このとき、切替制御部１８は、各充電制御部２６ａ〜２６ｃを通じて、二次電池２１ａを放電状態、二次電池２１ｂを充電状態、二次電池２１ｃを停止状態に切り替える。これにより、照明負荷１１は二次電池２１ａの電力で駆動された状態となる。
【００７４】
以上のように、各二次電池２１ａ〜２１ｃの放電状態、充電状態、停止状態が切り替えられる。本例ではＢＲ値のみで評価を行ったが、第１の実施形態のようにＢＲ値、ＤＲ値、ＣＲ値を用いた評価を行なってもよい。
【００７５】
以上、説明した実施形態によれば、第１の実施形態の（１）〜（６）の効果に加え、以下の効果を奏することができる。
（７）各バッテリユニット部２０ａ〜２０ｃの二次電池２１ａ〜２１ｃが順に照明に利用される。従って、二次電池２１の放電深度が深くなることがいっそう抑制される。よって、各二次電池２１ａ〜２１ｃの長寿命化を図ることができる。
【００７６】
なお、上記実施形態は、これを適宜変更した以下の形態にて実施することができる。
・上記各実施形態においては、ＤＲ値は前日のバッテリ使用電力量に応じた値であった。しかし、ＤＲ値は、前日における人の接近を通じた照明負荷１１の点灯回数に応じて決定されてもよい。
【００７７】
・第１の実施形態におけるＣＲ値を放電回数でなく充電回数に応じて決めてもよいし、充放電サイクル数に応じて決めてもよい。
・上記各実施形態においては、ＤＲ値は前日のバッテリ使用量を表したものであったが、過去一定期間（例えば、１週間、１ヶ月）のバッテリ使用量を表したものであってもよい。
【００７８】
・上記各実施形態において、複数ある二次電池２１ａ〜２１ｎを例えば３グループに分類し、それぞれのグループごとに放電／充電／停止の何れかの状態としてもよい。これにより、各グループの放電深度の減少率を均一に保ち、二次電池２１ａ〜２１ｎの長寿命化を図ることができる。
【００７９】
・上記各実施形態においては、照明負荷１１は人体検知センサ１２を通じて人体が検知されたときのみ一定時間に亘って点灯されていたが、常夜灯のように一晩中点灯するものでもよい。
【００８０】
・上記各実施形態において、調光率設定部１３は、夜間においては、通常、半固定抵抗ＶＲの値に応じた調光率で点灯させ、人体検知センサ１２が人体を検知した場合には、予め指定された調光率で一定時間に亘って照明負荷１１を点灯させた後に、半固定抵抗ＶＲの値に応じた調光率に戻すようにしてもよい。
【００８１】
・第１の実施形態における優先順位の２〜４は適宜省略可能である。また、優先順位の２〜４の順番を入れ替えてもよい。
・上記各実施形態においては、ＢＲ値及びＤＲ値に基づく調光率の変更に係る制御、上記優先順位に基づくバッテリユニット部の選択に係る制御及びバッテリユニット部２０ａが隣のバッテリユニット部からの発電電力をもらう制御が実行されていた。上記３つの制御のうち何れか１又は２つの制御を省略してもよい。
【００８２】
・上記各実施形態においては、ＤＲ値及びＢＲ値は５段階であったが、段階数はこれに限らず、適宜増減可能である。
・上記各実施形態においては、第１のバッテリユニット部２０ａは、他のバッテリユニット部２０ｂ〜２０ｎの太陽電池２２ｂ〜２２ｎを通じた発電電力を受けることが可能に構成されていた。しかし、その他のバッテリユニット部間でも発電電力の授受を可能に構成してもよい。これにより、各二次電池２１ａ〜２１ｎの放電深度が深くなることが抑制される。
【００８３】
・上記各実施形態においては、切替制御部１８は、選択したバッテリユニット部２０ａ〜２０ｎのＢＲ値とＤＲ値から調光率を決定していた。しかし、選択したバッテリユニット部のＤＲ値に限らず、例えば、前日使用していたバッテリユニットのＤＲ値、各バッテリユニット部２０ａ〜２０ｎのＤＲ値のうち最小の値のＤＲ値、又は過去のＤＲ値を一定期間記憶し、その移動平均から算出されるＤＲ値から調光率を決定してもよい。
【符号の説明】
【００８４】
１…照明装置、１０…ライトコントロールユニット部、１１…照明負荷、１２…人体検知センサ、１３…調光率設定部、１５…スイッチ部、１５ａ，１５ｂ…可動接点、１５ｉ…入力側スイッチ部、１５ｏ…出力側スイッチ部、１６ａ〜１６ｎ…バッテリ電圧確認部、１８…切替制御部、２０ａ〜２０ｎ…第１〜第ｎのバッテリユニット部、２１ａ〜２１ｎ…二次電池、２２ａ〜２２ｎ…太陽電池、２６ａ〜２６ｎ…充電制御部、３１ａ〜３１ｃ…バッテリ電圧確認部。
【図１】
2014078440.tif 000003
【図２】
2014078440.tif 000004
【図３】
2014078440.tif 000005
【図４】
2014078440.tif 000006
【図５】
2014078440.tif 000007
【図６】
2014078440.tif 000008